(57)【要約】      （修正有）【課題】ミキサーのシール構造において、カップ体とホルダーがロッキングした上下面のシールを実現するだけでなく、ホルダー壁面とシール面が緊密に合わせたシールにも達成でき、一種の三面が緊密にシールする方法であり、水がホルダーとカップ体のねじ山を沿って気体に入ることを防止出来るミキサーの構造を提供する。【解決手段】ボトムの周壁に外ねじ山１１のあるカップ体１と、上端の内周壁にカップ体の外ねじ山と合わせる内ねじ山があり、且つねじ山の下の内壁は円周環を沿う一環のねじ山補足部があり、ねじ山補足部の壁にねじ山のない円滑面で、且つ下から上までは逐次外へ傾いているホルダー２と、カップ体のボトムとホルダーの間に設置されてあり、シールリング壁の一部分はホルダー内壁のねじ山補足部の傾斜面の一部分と吻合するリング状シールリング３からなる。【選択図】図１
0003187270.tif 000002
【実用新案登録請求の範囲】
【請求項１】
ミキサーのシール構造であって、
ボトムの外周壁にネジ山のあるカップ体と、
上端の内周壁に前記カップ体の外ねじ山と合わせる内ねじ山があり、且つ
ねじ山の下の内壁は円周環を沿う一環のねじ山補足部があり、前記ねじ山補足部の壁にねじ山のない円滑面であり、且つ下から上までは逐次外へ傾いているホルダーと、カップ体のボトムとホルダーの間に設置したリング状のガスケットがあり、前記シールリングのサイド壁の一部分は前記ホルダー内壁のねじ山の傾斜面の下段部と吻合することを特徴とするミキサーの構造。
【請求項２】
請求項１に記載のミキサーの構造であって、前記シールリングが上下対称な構造で、前記ホルダーねじ山補足部の壁の下部とシールリングの下部形状と吻合する特徴とするミキサーの構造。
【請求項３】
請求項１または２に記載のミキサーの構造であって、前記ねじ山補足部の壁の下部が直線の傾斜面で、下から上まで縦直線から外へ０．１〜６０°傾斜し、前記シールリングのサイド壁の下部は前記ねじ山補足部の壁の下部の傾斜角度が等しいことを特徴とするミキサーの構造。
【請求項４】
請求項１または２に記載のミキサーの構造であって、前記ねじ山補足部の壁の下部が曲線の傾斜面で、前記シールリングサイド壁の下部は前記のねじ山補足部の壁の下部と合わせる曲線傾斜面である特徴とするミキサーの構造。
【請求項５】
請求項１または２に記載のミキサーの構造であって、前記ねじ山補足部の壁の下部が多段線で形成した傾斜面で、前記シールリングのサイド壁の下部は前記ねじ山補足部の下部と合わせる多段線傾斜面である特徴とするミキサーの構造。
【請求項６】
請求項１または２に記載のミキサーの構造であって、前記ねじ山補足部の壁の高さはシールリングの高さと等しいことを特徴とするミキサーの構造。
【請求項７】
請求項１または２に記載のミキサーの構造であって、前記ねじ山補足部の壁の高さはシールリングの高さより低いという特徴とするミキサーの構造。
【考案の詳細な説明】
【技術分野】
【０００１】
本考案はミキサーと関わり、具体的には、ミキサーのシール機構と関わっている。
【背景技術】
【０００２】
伝統的な加熱式ミキサーのカップとホルダーは目前の機構を組合せて、防水シート（シールリング）、ホルダー、エプロンツール（加熱盤と刃組を含む）部品からなっている。エプロンツールはホルダーに固定され、防水シート（シールリング）はエプロンツールとジュースカップの間にあり、シール作用を果たし、カップ内の液体が外に漏れないようにする。現有の機構だとジュースカップは水が溢れはしないが、消費者が使用する間に、不可避的に一部分の液体はカップの壁の外側を沿ってカップとホルダーのねじ山の所に流れ、ねじ山が凸凹であるため、シールリングとの間に隙間もあるので、液体はねじ山を沿って安全スイッチの隙間まで、しいては電熱盤の帯電体まで達し、漏電するリスクがある。
【考案の概要】
【課題を解決するための手段】
【０００３】
本考案の目的はミキサーのシール機構を提示することで、現有技術に存在する上述の問題を解決できるようにする。
【０００４】
本考案は提示した技術方案は以下のようとする。
【０００５】
ミキサーのシール機構は、以下の部分を含む。
【０００６】
一つのカップ体、そのボトムの外周壁には外ネジ山がある。
【０００７】
一つのホルダー、その上端内周壁には上述カップ体の外周壁のねじ山と合わせるネジ山が設置してあり、ねじ山の下部内壁が円周を沿う部分は一環のねじ山補足部が設置されてあり、上述ねじ山補足部分の壁はねじ山のない円滑面で、それに下から上のほうまで逐次外の方へ傾斜している。
【０００８】
一つの環状シールリングは、カップのボトム部とホルダーに据え付けられてあり、上述シールリングのサイド壁の一部分は上述ホルダー内壁のねじ山補足部の傾斜面下段の一部分と合わせている。
【０００９】
本考案の一つの実施例の中で、上述シールリングは上下が対称構造で、上述ホルダーねじ山補足部分の壁の下部はシールリングの下部の形状と吻合している。
【００１０】
本考案の一つの実施例の中で、上述ねじ山補足部の下部は直線傾斜面であり、下から上まで縦直線から外へ０．１〜６０°と傾斜して、上述シールリングのサイド壁の下部は上述ねじ山の補足部分の壁の下部の傾斜角度と等しい。
【００１１】
本考案の一つの実施例の中で、上述ねじ山補足部の壁の下部は曲線傾斜面で、下から上のほうまで縦直線から外の方へ傾斜し、上述シールリングサイド壁の下部は上述ねじ山補足部分の壁の下部と合わせた曲線傾斜面となっている。
【００１２】
本考案の一つの実施例の中で、上述ねじ山補足部の壁の下部は多段線で組成した傾斜面で、上述シールリングサイド壁の下部は上述ねじ山補足部分の壁の下部と合わせた多段線傾斜面となっている。
【００１３】
本考案の一つの実施例の中で、上述ねじ山補足部の壁の高さはシールリングの高さと等しい。
【００１４】
本考案の一つの実施例の中で、上述ねじ山補足部の壁の高さはシールリングの高さより低くなっている。
【００１５】
上述の内容から見れば分かるが、本考案の中のミキサーのホルダーの周辺を沿って周りのシールリングのサイド壁の一部分と吻合するねじ山補足部があるため、伝統なカップとホルダーがロッキングしてからの上下面のシールを実現できる以外、ホルダー壁面とシールリングが緊密に配合したシールも実現でき、一種の三面が緊密にシールする方式として、完全に上述水溢れ出す問題を排除することができるようになった。本考案中のねじ山補足部分の壁は下から上まで逐次外の方へ傾斜し、シールリングが上から下の方を入れやすいようにする。シールリングは上下対称構造で、いずれの一面からも入れられるため、据付の方向性も取り除かれている。
【００１６】
以上を纏めると、防水構造が改善されてから、外部水の漏洩を防止することができるようになる。消費者が日常使う時の製品の潜在危険性を解決できた。その同時に、液体の溢れ出しも防止できるようになったため、機体上部の清潔も維持できるようになる。
【図面の簡単な説明】
【００１７】
【図１】本考案が漏洩防止構造のあるミキサーの分解構造図である。
【図２】本考案ミキサーの実施例のホルダーの断面図である。
【図３】図２の中のＡの所の局部拡大図である。
【図４】図３の中のｂフレームの局部拡大図である。
【図５】図４の中のＢ部の拡大図である。
【図６】図２と一緒。
【図７】図６中のＣ部の局部拡大図である。
【図８】本考案実施例一のシールリングの断面図である。
【図９】図８中のＤ部の断面図である。
【図１０】漏洩防止構造のあるミキサーの組合せ構造図である。
【図１１】図１０の中のＥ部の局部拡大図である。
【図１２】本考案の実施例二のシールリングの断面図である。
【図１３】図１２の中のＦ部の局部拡大図である。
【図１４】本考案実施例三の中のネジ山補足部の壁の局部拡大図である。
【図１５】本考案実施例四の中のねじ山補足部の壁の局部拡大図である。
【考案を実施するための形態】
【００１８】
本考案の具体的な実施例について、図１を参照し、本実施例の中で、本考案のミキサーは加熱性能のあるミキサーで、カップ体の１、ホルダー２を含む。カップ体１のボトムの周壁には外ねじ山の１１があり、ホルダー２の内壁２１のトップにはカップ体１のボトム周壁の外ねじ山１と合わせる内ねじ山がある。ホルダー２内のねじ山の下で一つのガスケット４があり、ガスケット４内ではボトム基盤５が設置されてあり、ボトム基盤５の中央にはエプロンツール６が設置されてあり、エプロンツール６の上では刃７が設置されてあり、刃７はカップ体のインナーキャビティから突出する。ボトム基盤５のボトム部は加熱セルの８が設置されてあり、加熱機能を実現する。
【００１９】
図２から図５までを参照して、ホルダー２の内壁２１には上部ねじ山部２２（図３の中のａフレームを参照）と下部ねじ山補足部２３（図３の中のｂフレームを参照）を設置してあり、その中のねじ山部２２にはカップ体１のボトム部の周壁の外ねじ山１と合わせたインナーねじ山を設置してあり、それにねじ山補足部２３はシールリング３と合わせた区域であり、内壁にはねじ山がない。当該ねじ山補足部はシールリング３と同じ高さで、又はシールリングの高さ以下とする。ねじ山下の内壁は内部へ延長して内へ突出するインナーリング２４を形成して、当該インナーリング２４はガスケット４の凸エッジ４１をサポートすることに用いられている。インナーリング２４上のホルダーの左側の内壁にはガスケット４の凸エッジ４１を収納する距離ＯＰがある。ＯＰ上のカップ体内壁は下から上まで外へ傾斜していて、その最下段の傾斜段Ｏ’Ｍ’は垂直方向のＯ’Ｎ’のアングルαは１０°となっている。上の傾斜段Ｍ’Ｑ’は垂直方向とのアングルは５°となっている。
【００２０】
図６と図７はホルダー２の右側の内壁上のねじ山補足部の構造図であり、それはホルダー左側の内壁とは対称構造となって、その下段の傾斜段ＯＭは垂直方向ＯＮとのアングルαは１０°となっている。上の傾斜段ＭＱは垂直方向とのアングルは５°となっている。
【００２１】
図８と図９を参照して、シールリング３は水平線に沿う上下対称な構造であり、そのアウト側エッジの下の半分のｏｍと垂直方向のアングルも１０°となっている
【００２２】
図１０と図１１を参照して、据え付けする時に、まずシールリング３をホルダー２に置いて、カップ体１のボトム部をホルダー２に回り込むようにする。シールリングの上表面とカップ体のボトムと緊密に密着しているため、下表面もガスケット４の上表面と緊密に密着している。サイド面の下の半分のｏｍの傾斜角度はホルダーのねじ山補足部の下段ＯＭの傾斜角度と等しいため、シールリング３のサイド面はホルダー３のサイド面と密着でき、カップ体とホルダーの上下に押し出し、シールリングが軽微な変形になり、シールリングサイド面とホルダーサイド面がもっと緊密に貼り付けられ、それでホルダー内壁、シールリング及びカップ体ボトムと三面シールを形成して、ホルダー内壁とカップ体ボトムのサイド面の間から入った液体は下のほうへ流れることができなくなる。ホルダー内部をシールする目的を実現する。
【００２３】
実施例２
本実施例の中で、ミキサーのシール構造もカップ体１、ホルダー２を含み、その基本構造は実施例１と同様である。実施例１と異なるのはシールリング３も上下対称な構造となるが、その下の部分は連続な傾斜線ではなく、上下の二条の傾斜角度の異なる外へ傾斜する傾斜線である。ホルダー２の内壁と対応する所には当該シールリング３の下の部分と合わせた二条の傾斜線が設置されてある。
【００２４】
実施例３
本実施例の中で、ミキサーのシール構造もカップ体１、ホルダー２を含み、その基本構造は実施例１と同様である。実施例１と異なるのは、ねじ山補足部の壁は一条の連続傾斜線ではなく、四条の傾斜角度の異なる外へ傾く傾斜線である。シールリング３のサイド壁の下部では当該ねじ山補足部の壁の下部と合わせる多段傾斜線のように設置されている。
【００２５】
実施例４
本実施例の中で、ミキサーのシール構造もカップ体１、ホルダー２を含み、その基本構造は実施例１と同様である。実施例１と異なるのは、ねじ山補足部の壁は一条の連続的な傾斜線ではなく、一条の外へ傾く円滑な曲線である。シールリング３のサイド壁の下の部分は当該ねじ山補足部の壁の下部と合わせる円滑曲線のように設置されている。
【００２６】
上述は単なる本考案の具体的な実施例で、本考案の設計思案がこれに限りではなく、当該思案を利用して本考案に対して非実質性変動を行う利用は、本考案の保護範囲を侵す行為に属する。
【産業上の利用可能性】
【００２７】
本考案のミキサーのシール構造は、伝統なカップ体とホルダーがロッキングした上下面のシールを実現するだけではなく、ホルダー壁面とシール面が緊密に合わせたシールにも達成でき、一種の三面が緊密にシールする方法であり、水がホルダーとカップ体のねじ山を沿って機体に入ることを防止できる。
【図１】
0003187270.tif 000003
【図２】
0003187270.tif 000004
【図３】
0003187270.tif 000005
【図４】
0003187270.tif 000006
【図５】
0003187270.tif 000007
【図６】
0003187270.tif 000008
【図７】
0003187270.tif 000009
【図８】
0003187270.tif 000010
【図９】
0003187270.tif 000011
【図１０】
0003187270.tif 000012
【図１１】
0003187270.tif 000013
【図１２】
0003187270.tif 000014
【図１３】
0003187270.tif 000015
【図１４】
0003187270.tif 000016
【図１５】
0003187270.tif 000017